(57)【要約】【課題】  ごみ投入口が露呈せず見栄えがよく、ごみ箱内部に収容したごみ袋を確実に挟持でき、連結しての多種類のごみの分別をも可能にした分割式ごみ箱を提供する。【解決手段】  上方が開放された適宜形状のごみ箱１０の上部に下方が開放されたごみ投入枠体２０が整合して積層連結された分割式ごみ箱において、前記ごみ箱１０の上縁部にごみ袋１の上縁部が係止される複数の係止溝１３を形成し、かつこれら係止溝１３に対応させて前記ごみ投入枠体２０に仕切り壁２３を形成するとともに、前記ごみ箱１０とごみ投入枠体２０との連結部によりごみ袋１の上縁部を挟持することにより、ごみ箱１０内に複数のごみ袋１を設置してごみの分別を可能にするとともに、仕切り壁２３により仕切られたごみ投入枠体２０の積層により、ごみの分別が確実になされ、ごみが露呈せずに見栄えがよく、係止溝１３に係止されたごみ袋１の上縁部が確実に挟持される。【選択図】  図１
2006290598.tif 000002
【特許請求の範囲】
【請求項１】
上方が開放された適宜形状のごみ箱の上部に下方が開放されたごみ投入枠体が整合して積層連結された分割式ごみ箱において、前記ごみ箱の上縁部にごみ袋の上縁部が係止される複数の係止溝を形成し、かつこれら係止溝に対応させて前記ごみ投入枠体に仕切り壁を形成するとともに、前記ごみ箱とごみ投入枠体との連結部によりごみ袋の上縁部を挟持するように構成したことを特徴とする分割式ごみ箱。
【請求項２】
前記分割式ごみ箱を、上下、左右および背中合せに連結可能に構成したことを特徴とする請求項１に記載の分割式ごみ箱。
【請求項３】
前記ごみ投入枠体の仕切り壁を抜き差し自在な仕切り板にて構成したことを特徴とする請求項１または２に記載の分割式ごみ箱。
【請求項４】
前記ごみ投入枠体の投入口に対応する面に、前記仕切り壁または仕切り板により仕切られた投入口に対応する投入孔が形成されたごみ投入板の複数種類を選択的に設置したことを特徴とする請求項１から３のいずれかに記載の分割式ごみ箱。
【請求項５】
前記ごみ箱の上縁部近傍の周囲に、折り返されたごみ袋の上縁部を係止する係止バンド用の係止溝を形成したことを特徴とする請求項１から４のいずれかに記載の分割式ごみ箱。
【請求項６】
前記ごみ箱の上縁部に形成される複数の係止溝が、ごみ袋の上縁部が圧入される係止スリットであることを特徴とする請求項１から５のいずれかに記載の分割式ごみ箱。
【請求項７】
前記ごみ箱における開口部中央に、開口部に横架された仕切り桟を介して係止溝または係止スリットが形成された中央駒部材を設置したことを特徴とする請求項１から６のいずれかに記載された分割式ごみ箱。
【発明の詳細な説明】
【技術分野】
【０００１】
本発明は、上方が開放された適宜形状のごみ箱の上部に下方が開放されたごみ投入枠体が整合して積層連結された分割式ごみ箱に関する。
【背景技術】
【０００２】
近年、地球環境の劣化や資源の枯渇等の問題を解決するために、ごみ資源のリサイクル化が促進されている。ごみ資源のリサイクルにはごみの分別が欠かせないものであり、各家庭は言うに及ばず、各種の事業所、高速道路のサービスエリア、病院、鉄道の駅舎等人々が多く集まり、多量のごみが放出される施設では、ごみの分別・細分化には多くの苦労や努力がなされているものの、現状のごみ箱は比較的大型の箱状体から構成されており、多種類のごみの分別を行うには広いスペースを要して限界があり、頭を悩ませているところである。そのようなことから、ごみ箱の内部を仕切り壁により仕切って、複数種類のごみの分別を可能にしたものが提案された（例えば下記特許文献１および２参照）。
【特許文献１】登録実用新案公報第３０８０２６４号（請求項１および図２参照）
【特許文献２】登録実用新案公報第３０４４５８４号（図１参照）
【発明の開示】
【発明が解決しようとする課題】
【０００３】
前記特許文献１に開示されたごみ箱は、図４に示すように、合成樹脂製のごみ箱本体１０１と、このごみ箱本体１０１の開口部１１０を覆う合成樹脂製の蓋体１０２とを備え、これらごみ箱本体１０１および蓋体１０２が、略平板状に折り畳み可能に構成されたもので、ごみ箱本体１０１の内部空間が仕切り板１３０によって仕切られており、複数のごみ収納部１４０、１４１が形成される。ごみ箱本体１０１および蓋体１０２との接合は、面ファスナー１１６と１５７との係止によりなされる。しかしながら、合成樹脂製とは言えごみ箱の内部が汚損した場合には清掃する必要があり、作業が面倒であった。
【０００４】
また、前記特許文献２に開示されたごみ箱は、図５に示すように、ごみ箱２０１の上縁部に多数形成されたＶ字開口２３１の適宜個数を選択して、複数のごみ袋２０２の上縁部を係止することで、ごみ箱２０１の内部を複数のごみ袋２０２により分別可能に構成したものである。このような構成により、ごみ袋２０２ごとごみを廃棄できるので、ごみ箱２０１が汚損することがなくなった。しかしながら、この従来例では、ごみ投入口が上部に露呈しており見苦しいのみならず、ごみ袋が脱落し易く、分別の種類も、ごみ箱２０１内に設置されるごみ袋の個数に制限された。
【０００５】
そこで本発明は、前記従来のごみ箱の諸課題を解決して、ごみ投入口が露呈せず見栄えがよく、ごみ箱内部に収容したごみ袋を確実に挟持でき、連結しての多種類のごみの分別をも可能にした分割式ごみ箱を提供することを目的とする。
【課題を解決するための手段】
【０００６】
そのため本発明は、上方が開放された適宜形状のごみ箱の上部に下方が開放されたごみ投入枠体が整合して積層連結された分割式ごみ箱において、前記ごみ箱の上縁部にごみ袋の上縁部が係止される複数の係止溝を形成し、かつこれら係止溝に対応させて前記ごみ投入枠体に仕切り壁を形成するとともに、前記ごみ箱とごみ投入枠体との連結部によりごみ袋の上縁部を挟持するように構成したことを特徴とする。また本発明は、前記分割式ごみ箱を、上下、左右および背中合せに連結可能に構成したことを特徴とする。また本発明は、前記ごみ投入枠体の仕切り壁を抜き差し自在な仕切り板にて構成したことを特徴とする。また本発明は、前記ごみ投入枠体の投入口に対応する面に、前記仕切り壁または仕切り板により仕切られた投入口に対応する投入孔が形成されたごみ投入板の複数種類を選択的に設置したことを特徴とする。また本発明は、前記ごみ箱の上縁部近傍の周囲に、折り返されたごみ袋の上縁部を係止する係止バンド用の係止溝を形成したことを特徴とする。また本発明は、前記ごみ箱の上縁部に形成される複数の係止溝が、ごみ袋の上縁部が圧入される係止スリットであることを特徴とする。また本発明は、前記ごみ箱における開口部中央に、開口部に横架された仕切り桟を介して係止溝または係止スリットが形成された中央駒部材を設置したことを特徴とするもので、これらを課題解決のための手段とするものである。
【発明の効果】
【０００７】
本発明では、上方が開放された適宜形状のごみ箱の上部に下方が開放されたごみ投入枠体が整合して積層連結された分割式ごみ箱において、前記ごみ箱の上縁部にごみ袋の上縁部が係止される複数の係止溝を形成し、かつこれら係止溝に対応させて前記ごみ投入枠体に仕切り壁を形成するとともに、前記ごみ箱とごみ投入枠体との連結部によりごみ袋の上縁部を挟持するように構成したことにより、ごみ箱内に複数のごみ袋を設置してごみの分別を可能にするとともに、仕切り壁により仕切られたごみ投入枠体の積層により、ごみの分別が確実になされ、ごみが露呈せずに見栄えがよい。さらに、係止溝に係止されたごみ袋の上縁部がごみ投入枠体との間で確実に挟持されて脱落することがない。
【０００８】
また、前記分割式ごみ箱を、上下、左右および背中合せに連結可能に構成した場合は、ごみ投入枠体を上部に積層連結したごみ箱をさらに上下、左右および背中合せに連結することで、少ないスペースでさらに多種類のごみの分別が可能となる。さらに、前記ごみ投入枠体の仕切り壁を抜き差し自在な仕切り板にて構成した場合は、仕切り板を抜き差し自在に設置する溝等を多数形成することで、仕切り板により仕切られるごみ投入口の幅を適宜選定することが可能になる。
【０００９】
さらにまた、前記ごみ投入枠体の投入口に対応する面に、前記仕切り壁または仕切り板により仕切られた投入口に対応する投入孔が形成されたごみ投入板の複数種類を選択的に設置した場合は、ごみ投入板の多数の溝等への選択的設置により自在に設定されたごみ投入口の幅に対応させて、ごみ投入孔の意匠等を自在に設計したごみ投入板を選定して設置できて、デザインの自由度を向上させることができる。また、前記ごみ箱の上縁部近傍の周囲に、折り返されたごみ袋の上縁部を係止する係止バンド用の係止溝を形成した場合は、より確実にごみ袋の上縁部を係止して脱落を抑制することができる。
【００１０】
さらに、前記ごみ箱の上縁部に形成される複数の係止溝が、ごみ袋の上縁部が圧入される係止スリットである場合は、該係止スリットへのごみ袋上縁部の摩擦係合により、さらにごみ袋の脱落防止機能を向上させることができる。さらにまた、前記ごみ箱における開口部中央に、開口部に横架された仕切り桟を介して係止溝または係止スリットが形成された中央駒部材を設置した場合は、開口部中央部にてもごみ袋の係止が可能となるので、ごみ箱内でのごみ袋による４分割分別が可能となる上、ごみ箱側面からのごみの投入も可能となる。
【発明を実施するための最良の形態】
【００１１】
以下、本発明の実施例を図面に基づいて詳細に説明する。図１は本発明の分割式ごみ箱の第１実施例を示すもので、定型のごみ投入枠体とごみ箱から構成される分割式ごみ箱の分解斜視図、図２は本発明の分割式ごみ箱の第２実施例を示すもので、自在型のごみ投入枠体とごみ箱から構成される分割式ごみ箱の分解斜視図、図３は本発明の分割式ごみ箱の第３実施例を示すもので、スリット型ごみ箱を有する分割式ごみ箱の分解斜視図である。
【実施例１】
【００１２】
本発明の基本的な構成は、図１の第１実施例に示すように、上方が開放された適宜形状のごみ箱１０の上部に下方が開放されたごみ投入枠体２０が整合して積層連結された分割式ごみ箱において、前記ごみ箱１０の上縁部にごみ袋１の上縁部が係止される複数の係止溝１３を形成し、かつこれら係止溝１３に対応させて前記ごみ投入枠体２０に仕切り壁２３を形成するとともに、前記ごみ箱１０とごみ投入枠体２０との連結部１１、２２によりごみ袋１の上縁部を挟持するように構成したことを特徴とする。
【００１３】
本実施例では、ごみ箱１０は上部と底部との寸法が同じストレート状の方形ボックス形態をしている。ごみ箱１０の形状は平面視で丸形、楕円形、多角形等適宜のものが採用され得る。また、ストレート状の他、上方に開いた逆錐状の各種形状のものが採用され得る（その場合には、ごみ投入枠体２０については、ごみ箱１０の上下の周縁に適合した側面視で各種形状の台形形態が採用される）。ごみ箱１０の対向する一対の上縁部の略中間部には、係止溝１３が形成されており、ごみ箱１０内に収納設置されるごみ袋１の上縁部の一部が折り返されて係止される。図示の例では、２つのごみ袋１、１が収納設置され、係止溝１３内にて２つのごみ袋１、１の上縁部の一部が重複係止される。したがって、２つのごみ袋１、１の上縁部の３辺がごみ箱１０の上縁部の外側の周囲に折り返されて添設される。ごみ箱１０の底部には、僅かに縮径構成された下部雄連結部１２が形成される。
【００１４】
一方、ごみ箱１０の上部にはごみ投入枠体２０が積層連結される。ごみ投入枠体２０は、下方が開放されたボックス状枠体から構成され、前記ごみ箱１０における係合溝１３、１３に対応する位置に設置される仕切り壁２３を有する。仕切り壁２３により仕切られた空間は投入口２９、２９を構成する。投入口２９、２９はごみ投入枠体２０を前後に貫通して形成されてもよいし、後壁を有していてもよい。投入口２９が前後に貫通する場合は、ごみ箱１０の後方からもごみの投入廃棄が可能である。前記仕切り壁２３の下縁を下方に延設して延設部２３Ｄとすることで、該延設部２３Ｄを前記ごみ箱１０の係止溝１３に係合させるようにすれば、ごみ袋１の上縁部を確実に捕捉して脱落を防止できる。
【００１５】
ごみ投入枠体２０の上部には、一段下げた天井部を構成する上部雌連結部２１が形成される。この上部雌連結部２１には、前記ごみ箱１０と同一規格で上部に積層されるべきごみ箱１０の底部における下部雄連結部１２が整合して嵌合連結される。そして、ごみ投入枠体２０の下部には、僅かに拡径構成された下部雌連結部２２が形成される。該下部雌連結部２２が前記ごみ箱１０の上縁部１１に整合して積層連結される。その際、これらの連結部１１、２２よる積層連結によって、前記ごみ箱１０内に収容設置されたごみ袋１の折り返された上縁部を挟持し、ごみ袋１を確実に捕捉して脱落を防止する。
【実施例２】
【００１６】
図２は本発明の分割式ごみ箱の第２実施例を示すもので、自在型のごみ投入枠体とごみ箱から構成される分割式ごみ箱の分解斜視図である。本実施例のものは、ごみ箱１０内に収容設置するごみ袋の数を適宜選定できるものである。ごみ箱１０の上縁部１１に多数の係止溝１３、１３・・・を形成するとともに、該ごみ箱１０の上部に整合して嵌合積層されるごみ投入枠体２０における仕切り壁に代えて、多数の上部溝２６および下部溝２７に選択的に抜き差し自在に仕切り板２５を設置したものである。仕切り板２５としては、平板状のものでもよいし、水平部２５Ｂを有するＴ字形断面の仕切り板２５Ａとしてもよい。Ｔ字形断面の仕切り板２５Ａの場合は、下部溝２７まで届かなくてもよい。前記仕切り板２５が配設される溝２６、２７は、ごみ箱１０の係止溝１３の位置に対応する。
【００１７】
前記ごみ箱１０の上縁部１１の近傍の周囲に、折り返されたごみ袋の上縁部を係止する係止バンド用の係止溝１４が形成される。したがって、前記多数の係止溝１３の幾つかを選択的に使用してごみ袋の複数個が設置されたものの、これら複数個のごみ袋の折り返された上縁部を係止溝１４に添設係止されたゴムバンド等の係止バンド２により係止挟持する。係止バンド２は図示のもののように無端ゴムバンドから構成されてもよいし、ごみ箱１０の隅部に沿うＬ字状の硬質部材をスプリング等で連結した全体として平面視で方形のものから構成してもよい。これにより、より確実にごみ袋の上縁部を係止して脱落を抑制することができる。
【００１８】
図２のＡ−Ａ断面で示すように、ごみ投入枠体２０の底部の周囲には連結溝２２Ａが形成され、前記ごみ箱１０の上縁部１１が整合して嵌合挿入される。これにより、上縁部１１に添設して折り返されたごみ袋の上縁部が連結溝２２Ａとの間にて挟持される。ごみ投入枠体２０の上部には、僅かに縮径した上部雄連結部２４が形成され、該ごみ投入枠体２０の上部に積層されるべきごみ箱１０と同一規格のごみ箱１０の底部に形成された下部雌連結部（Ｂ−Ｂ断面参照）１５が嵌合積層される。ごみ箱１０の側面には、横連結部を設置すべき横連結孔１６が複数個穿設され、通常は、栓体３により閉塞されている。横連結孔１６には互いに凹凸嵌合するところの適宜形状の雌雄の連結手段を着脱自在に設置することができる。
【００１９】
ごみ投入枠体２０の投入口に対応する面（図示の例では前面）に、前記仕切り壁２３（後述するごみ投入板３０は、図１や図３の実施例のものにも適用される）または仕切り板２５により仕切られた投入口２９に対応する投入孔３２、３３が形成されたごみ投入板３０の複数種類が選択的に設置される。つまり、ごみ箱１０に収容されるごみ袋の設置部位に対応させて仕切り板２５を差し込むことで、所定の間隔でごみ投入口２９が所定個数が構成されるが、それらのごみ投入口２９に対応させてごみ投入孔３２、３４、３３、３５等を穿設したごみ投入板３０が選定される。ごみ投入板３０はその背面４方から突設された係止突起３１を、ごみ投入枠体２０の前面の４方の対応する位置に設けられた係止孔２８に係止することで、ごみ投入枠体２０の前面に固定される。かくして、自在に設定されたごみ投入口２９の幅に対応させて、ごみ投入孔３２の意匠等を自在に設計したごみ投入板３０を選定して設置でき、デザインの自由度を向上させることができる。
【実施例３】
【００２０】
図３は本発明の分割式ごみ箱の第３実施例を示すもので、スリット型ごみ箱を有する分割式ごみ箱の分解斜視図である。本実施例のものは、前記図１および図２における実施例のもののややルーズな係止溝１３に代えて、係止スリット１９を採用するとともに、ごみ箱１０における開口部中央に、開口部に横架された仕切り桟１７を介して係止スリット１９が形成された（ややルーズな係止溝１３を排除するものではない）中央駒部材１８を設置した。中央駒部材１８は、平面視でＸ形状を呈しており前記仕切り桟１７に交差して配設される。ごみ箱１０の上縁部の各辺の略中央部に２個ずつ係止スリット１９が形成される。このように構成したので、ごみ箱１０の開口部中央部にてもごみ袋の係止が可能となるので、ごみ箱内でのごみ袋による４分割分別が可能となる。
【００２１】
これらのごみ袋による４分割分別に対応して、ごみ箱１０の上部に積層連結されるごみ投入枠体２０についても、ごみ投入口２９も４分割される。つまり、前後方向に配設された第１仕切り壁２３Ａと、左右方向に配設された第２仕切り壁２３Ｂとが交差して配設される。これにより、ごみ投入枠体２０の側面からのごみの投入も可能となる。本実施例でも、ごみ投入枠体２０とごみ箱１０との連結部１１、２２による積層体から構成される分割式ごみ箱は、上部に積層されるべきごみ箱１０の底部の下部雄連結部１２が、ごみ投入枠体２０の上部雌連結部２１に嵌合して積層される。また、側面連結については、前記実施例のものと同様に、通常は栓体により閉塞されている横連結孔を利用して横連結部を設置して行うことができる。また、前記第１および第２実施例のものも同様であるが、ごみ箱１０の背面にも背中合せ等による連結のための、横連結部を設置できる。
【００２２】
以上、本発明の実施例について説明してきたが、本発明の趣旨の範囲内にて、ごみ箱の形状（ストレートの円筒形や方形筒状の他、上方に末広がりの逆円錐形状や逆角錐形状等でもよい。平面視形状も、楕円形や多角形でもよい）、形式およびその材質（鋼板、アルミ等の金属、プラスチック、木材等）、係止溝および係止スリットの形状（Ｖ字形、逆Ｖ字形、弾性材の介設等）、幅および数、ごみ投入枠体の形状（円形、角形等、ごみ箱の形状に適応した形状）、形式および材質（鋼板、アルミ等の金属、プラスチック、木材等）ならびにごみ箱との積層・嵌合形態（雌雄嵌合、溝への縁部の挿入等）、ごみ箱およびごみ投入枠体の、上下積層形態、横連結形態、背中合せ連結形態（連結部の形成形態、当初からの一体成形の他、後付けにて別体にて設置してもよい）、仕切り壁および仕切り板の形状、形式および材質（鋼板、アルミ等の金属、プラスチック、木材等）ならびに仕切り板の抜き差し形態、ごみ投入板の形状（ごみ投入孔の形状、数等）、形式および材質（鋼板、アルミ等の金属、プラスチック、木材等）、係止バンドの形状、形式および材質（ゴム、合成樹脂、硬質部材とスプリングとの交互連結部材等）等については適宜選定できる。
【図面の簡単な説明】
【００２３】
【図１】本発明の分割式ごみ箱の第１実施例を示すもので、定型のごみ投入枠体とごみ箱から構成される分割式ごみ箱の分解斜視図である。
【図２】本発明の分割式ごみ箱の第２実施例を示すもので、自在型のごみ投入枠体とごみ箱から構成される分割式ごみ箱の分解斜視図である。
【図３】本発明の分割式ごみ箱の第３実施例を示すもので、スリット型ごみ箱を有する分割式ごみ箱の分解斜視図である。
【図４】第１従来例のごみ箱を示す全体斜視図である。
【図５】第２従来例のごみ箱を示す全体斜視図である。
【符号の説明】
【００２４】
１      ごみ袋
１０      ごみ箱
１１      上縁部
１２      下部雄連結部
１３      係止溝
２０      ごみ投入枠体
２１      上部雌連結部
２２      下部雌連結部
２３      仕切り壁
２９      ごみ投入口
【図１】
2006290598.tif 000003
【図２】
2006290598.tif 000004
【図３】
2006290598.tif 000005
【図４】
2006290598.tif 000006
【図５】
2006290598.tif 000007